(57)【要約】【課題】撮像装置間での画像の交換を容易に行うことができる撮像装置を提供する。【解決手段】画像を撮像して格納する撮像装置であって、画像を撮像する撮像部と、撮像部が撮像した画像が、当該撮像装置の他の撮像装置の表示部の画像を含むか否かを判断する画像判断部と、撮像部が撮像した画像が表示部の画像を含むと画像判断部が判断した場合に、撮像部が撮像した画像の表示部に表示されていた画像を他の撮像装置からデータ通信により受信する画像受信部とを備える。【選択図】  図２
2004222139.tif 000002
【特許請求の範囲】
【請求項１】
画像を撮像して格納する撮像装置であって、
前記画像を撮像する撮像部と、
前記撮像部が撮像した前記画像が、当該撮像装置の他の撮像装置の表示部の画像を含むか否かを判断する画像判断部と、
前記撮像部が撮像した前記画像が前記表示部の前記画像を含むと前記画像判断部が判断した場合に、前記撮像部が撮像した前記画像の前記表示部に表示されていた画像を前記他の撮像装置からデータ通信により受信する画像受信部と
を備えることを特徴とする撮像装置。
【請求項２】
前記撮像部が撮像した前記画像が前記表示部の前記画像を含むと前記画像判断部が判断した場合に、前記撮像部が撮像した前記画像を前記他の撮像装置に送信する画像要求送信部をさらに備え、
前記画像受信部は、前記他の撮像装置が、前記画像要求送信部から受信した前記画像と前記他の撮像装置が格納している画像とを画像照合することにより、前記他の撮像装置が格納している画像から抽出した、前記表示部に表示されていた前記画像を受信することを特徴とする請求項１に記載の撮像装置。
【請求項３】
前記撮像部が撮像した前記画像と当該画像が撮像された時刻とを対応づけて格納する画像格納部と、
前記撮像部が撮像した前記画像が前記表示部の前記画像を含むと前記画像判断部が判断した場合に、前記撮像部が撮像した前記画像に対応づけて前記画像格納部が格納する前記時刻を前記他の撮像装置に送信する画像要求送信部と
をさらに備え、
前記画像受信部は、前記他の撮像装置が、前記画像要求送信部から受信した前記時刻に基づいて前記他の撮像装置が格納している画像から抽出した、前記時刻に前記表示部に表示されていた前記画像を受信することを特徴とする請求項１に記載の撮像装置。
【請求項４】
前記撮像部が撮像した前記画像が前記表示部の前記画像を含むと前記画像判断部が判断した場合に、前記撮像装置が撮像した前記画像を外部の画像格納装置に送信する画像要求送信部をさらに備え、
前記画像受信部は、前記画像格納装置が、前記画像要求送信部から受信した前記画像と前記他の撮像装置によって撮像され前記他の撮像装置から受信した画像とを画像照合することにより、前記他の撮像装置から受信した画像から抽出した、前記表示部に表示されていた前記画像を受信することを特徴とする請求項１に記載の撮像装置。
【請求項５】
前記撮像部が撮像した前記画像と当該画像が撮像された時刻とを対応づけて格納する画像格納部と、
前記撮像部が撮像した前記画像が前記表示部の前記画像を含むと前記画像判断部が判断した場合に、前記撮像部が撮像した前記画像に対応づけて前記画像格納部が格納する前記時刻を外部の画像格納装置に送信する画像要求送信部と
をさらに備え、
前記画像受信部は、前記画像格納装置が、前記画像要求送信部から受信した前記時刻に基づいて前記他の撮像装置によって撮像され前記他の撮像装置から受信した画像から抽出した、前記時刻に前記表示部に表示されていた前記画像を受信することを特徴とする請求項１に記載の撮像装置。
【請求項６】
前記画像判断部は、前記撮像部が撮像した前記画像内に、予め記憶している形状で単色のフレームがある場合に、前記撮像部が撮像した前記画像が前記表示部の画像を含むと判断することを特徴とする請求項１に記載の撮像装置。
【請求項７】
前記撮像部が撮像した前記画像と、当該画像が撮像された時刻とを対応づけて格納し、前記画像受信部が受信した前記画像と、前記画像受信部が当該画像とともに受信した、当該画像が前記他の撮像装置によって撮像された時刻とを対応づけて格納する画像格納部と、
前記画像格納部が格納している前記画像を、当該画像が撮像された前記時刻の順に並び替えて出力する画像出力部と
を備えることを特徴とする請求項１に記載の撮像装置。
【請求項８】
画像を撮像して格納する撮像装置であって、
前記画像を撮像する撮像部と、
前記撮像部が撮像した前記画像を格納する画像格納部と、
前記画像格納部が格納している前記画像を表示する表示部と、
当該撮像装置の他の撮像装置が撮像した、前記表示部の画像を含む画像を前記他の撮像装置から受信する画像要求受信部と、
前記画像要求受信部が受信した前記画像と前記画像格納部が格納している前記画像とを画像照合することにより、前記画像要求受信部が受信した前記画像の前記表示部が表示している前記画像を前記画像格納部から抽出する画像照合部と、
前記画像照合部が抽出した前記画像を前記他の撮像装置に送信する画像送信部と
を備えることを特徴とする撮像装置。
【請求項９】
第１撮像装置が撮像した画像を第２撮像装置に提供する画像格納装置であって、
前記第１撮像装置が撮像した前記画像を前記第１撮像装置から受信する画像受信部と、
前記画像受信部が受信した前記画像を格納する画像格納部と、
前記第２撮像装置が撮像した、前記第１撮像装置の表示部の画像を含む画像を前記第２撮像装置から受信する画像要求受信部と、
前記画像格納部が格納している前記画像と前記画像要求受信部が受信した前記画像とを画像照合することにより、前記画像要求受信部が受信した前記画像の前記表示部が表示している画像を前記画像格納部から抽出する画像照合部と、
前記画像照合部が抽出した前記画像を前記他の撮像装置に送信する画像送信部と
を備えることを特徴とする画像格納装置。
【発明の詳細な説明】
【０００１】
【発明の属する技術分野】
本発明は、撮像装置及び画像格納装置に関する。特に本発明は、他の撮像装置の画像の授受を行う撮像装置に関する。
【０００２】
【従来の技術】
近年、携帯電話のデータ伝送能力の大幅な向上に伴い、携帯電話を音声通話用の端末機として使用することに止まらず、広くデータ通信用の端末機として利用することが図られている。例えば、携帯電話にカメラを搭載させ、カメラで撮影した写真画像を他の携帯電話に送信することができるものが開発されている。
【０００３】
現時点で先行技術文献の存在を認識していないので、先行技術文献に関する記載を省略する。
【０００４】
【発明が解決しようとする課題】
しかしながら、従来の携帯電話においてカメラで撮影した写真画像を他の携帯電話に送信する場合、写真画像をメールに添付して送信する等の複雑な操作が必要であり、写真画像を提供したい相手の携帯電話が近くに存在する場合であっても、簡易な操作で写真画像を提供することができなかった。
【０００５】
そこで本発明は、上記の課題を解決することのできる撮像装置及び画像格納装置を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、画像を撮像して格納する撮像装置であって、画像を撮像する撮像部と、撮像部が撮像した画像が、当該撮像装置の他の撮像装置の表示部の画像を含むか否かを判断する画像判断部と、撮像部が撮像した画像が表示部の画像を含むと画像判断部が判断した場合に、撮像部が撮像した画像の表示部に表示されていた画像を他の撮像装置からデータ通信により受信する画像受信部とを備える。
【０００７】
撮像部が撮像した画像が表示部の画像を含むと画像判断部が判断した場合に、撮像部が撮像した画像を他の撮像装置に送信する画像要求送信部をさらに備え、画像受信部は、他の撮像装置が、画像要求送信部から受信した画像と他の撮像装置が格納している画像とを画像照合することにより、他の撮像装置が格納している画像から抽出した、表示部に表示されていた画像を受信してもよい。
【０００８】
撮像部が撮像した画像と当該画像が撮像された時刻とを対応づけて格納する画像格納部と、撮像部が撮像した画像が表示部の画像を含むと画像判断部が判断した場合に、撮像部が撮像した画像に対応づけて画像格納部が格納する時刻を他の撮像装置に送信する画像要求送信部とをさらに備え、画像受信部は、他の撮像装置が、画像要求送信部から受信した時刻に基づいて他の撮像装置が格納している画像から抽出した、時刻に表示部に表示されていた画像を受信してもよい。
【０００９】
撮像部が撮像した画像が表示部の画像を含むと画像判断部が判断した場合に、撮像装置が撮像した画像を外部の画像格納装置に送信する画像要求送信部をさらに備え、画像受信部は、画像格納装置が、画像要求送信部から受信した画像と他の撮像装置によって撮像され他の撮像装置から受信した画像とを画像照合することにより、他の撮像装置から受信した画像から抽出した、表示部に表示されていた画像を受信してもよい。
【００１０】
撮像部が撮像した画像と当該画像が撮像された時刻とを対応づけて格納する画像格納部と、撮像部が撮像した画像が表示部の画像を含むと画像判断部が判断した場合に、撮像部が撮像した画像に対応づけて画像格納部が格納する時刻を外部の画像格納装置に送信する画像要求送信部とをさらに備え、画像受信部は、画像格納装置が、画像要求送信部から受信した時刻に基づいて他の撮像装置によって撮像され他の撮像装置から受信した画像から抽出した、時刻に表示部に表示されていた画像を受信してもよい。
【００１１】
画像判断部は、撮像部が撮像した画像内に、予め記憶している形状で単色のフレームがある場合に、撮像部が撮像した画像が表示部の画像を含むと判断してもよい。
【００１２】
撮像部が撮像した画像と、当該画像が撮像された時刻とを対応づけて格納し、画像受信部が受信した画像と、画像受信部が当該画像とともに受信した、当該画像が他の撮像装置によって撮像された時刻とを対応づけて格納する画像格納部と、画像格納部が格納している画像を、当該画像が撮像された時刻の順に並び替えて出力する画像出力部とを備えてもよい。
【００１３】
本発明の第２の形態によると、画像を撮像して格納する撮像装置であって、画像を撮像する撮像部と、撮像部が撮像した画像を格納する画像格納部と、画像格納部が格納している画像を表示する表示部と、当該撮像装置の他の撮像装置が撮像した、表示部の画像を含む画像を他の撮像装置から受信する画像要求受信部と、画像要求受信部が受信した画像と画像格納部が格納している画像とを画像照合することにより、画像要求受信部が受信した画像の表示部が表示している画像を画像格納部から抽出する画像照合部と、画像照合部が抽出した画像を他の撮像装置に送信する画像送信部とを備える。
【００１４】
本発明の第３の形態によると、第１撮像装置が撮像した画像を第２撮像装置に提供する画像格納装置であって、第１撮像装置が撮像した画像を第１撮像装置から受信する画像受信部と、画像受信部が受信した画像を格納する画像格納部と、第２撮像装置が撮像した、第１撮像装置の表示部の画像を含む画像を第２撮像装置から受信する画像要求受信部と、画像格納部が格納している画像と画像要求受信部が受信した画像とを画像照合することにより、画像要求受信部が受信した画像の表示部が表示している画像を画像格納部から抽出する画像照合部と、画像照合部が抽出した画像を他の撮像装置に送信する画像送信部とを備える。
【００１５】
なお上記の発明の概要は、本発明の必要な特徴の全てを列挙したものではなく、これらの特徴群のサブコンビネーションも又発明となりうる。
【００１６】
【発明の実施の形態】
以下、発明の実施の形態を通じて本発明を説明するが、以下の実施形態は特許請求の範囲に係る発明を限定するものではなく、又実施形態の中で説明されている特徴の組み合わせの全てが発明の解決手段に必須であるとは限らない。
【００１７】
図１は、本発明の一実施形態に係る画像配信システムの一例を示す。本発明の画像配信システムは、撮像装置１０及び２０、並びにインターネット等の通信網２５に接続された画像格納装置３０を備える。撮像装置１０及び２０は、例えばカメラ機能及び通信機能を有するカメラ付き携帯電話であり、カメラ機能を用いて撮像した画像を通信機能を用いて互いに提供する。撮像装置１０及び２０は、赤外線通信、ブルー・トゥース等の無線通信により相手の撮像装置に画像を送信してもよいし、インターネット等の通信網２５を介して相手の撮像装置に画像を送信してもよい。また、撮像装置１０及び２０は、外部の画像格納装置３０を介して相手の撮像装置に画像を送信してもよい。
【００１８】
撮像装置１０は、ユーザの指示に基づいて、撮像装置２０が撮像した画像を表示している撮像装置２０の表示部２０４を撮像する。そして、撮像装置１０は、撮像したの表示部２０４の画像を撮像装置２０に送信することにより、撮像装置２０に対して、表示部２０４に表示されていた画像の転送要求を行う。そして、撮像装置２０は、撮像装置１０から送信された画像の表示部２０４に表示されている画像を抽出して撮像装置１０に送信する。
【００１９】
また、画像格納装置３０は、撮像装置２０が撮像した画像を撮像装置２０から受信して格納する。この場合、撮像装置１０は、撮像した表示部２０４の画像を画像格納装置３０に送信することにより、画像格納装置３０に対して、表示部２０４に表示されていた画像の転送要求を行う。そして、画像格納装置３０は、撮像装置１０から送信された画像の表示部２０４に表示されている画像を抽出して撮像装置１０に送信する。
【００２０】
本実施形態の画像配信システムによれば、レリーズボタンを押して写真を撮るという通常の動作によって、他の撮像装置が撮像して格納している写真を取得することができる。そのため、撮像装置間での写真の交換を容易に行うことができるので、他のユーザが撮った写真を簡単に受け取ることができる。
【００２１】
図２は、撮像装置１０及び撮像装置２０のブロック構成の一例を示す。撮像装置１０は、画像を撮像する撮像部１００と、撮像部１００が撮像した画像の内容を判断する画像判断部１０２と、画像の転送要求を撮像装置２０に送信する画像要求送信部１０４と、撮像部１００が撮像した画像と当該画像が撮像された時刻とを対応づけて格納する画像格納部１０６と、撮像装置２０から画像をデータ通信により受信する画像受信部１０８と、画像格納部１０６が格納している画像を出力する画像出力部１１０とを備える。
【００２２】
また、撮像装置２０は、画像を撮像する撮像部２００と、撮像部２００が撮像した画像と当該画像が撮像された時刻とを対応づけて格納する画像格納部２０２と、画像格納部２０２が格納している画像を表示する表示部２０４と、画像の転送要求を撮像装置１０から受信する画像要求受信部２０６と、画像格納部２０２が格納している画像から転送要求があった画像を抽出する画像照合部２０８と、画像照合部２０８が抽出した画像をデータ通信により送信する画像送信部２１０とを備える。
【００２３】
まず、撮像装置２０のユーザは、画像格納部２０２が格納している画像の中から、撮像装置１０のユーザに提供したい画像を選択する。そして、表示部２０４は、ユーザの指示に基づいて、ユーザによって選択された画像を表示する。このとき、画像格納部２０２は、表示部２０４が表示している画像に対応づけて、表示部２０４が当該画像を表示している時刻を格納する。撮像装置１０のユーザは、表示部２０４に表示された画像を確認して当該画像を取得するか否かを判断する。撮像装置１０のユーザが当該画像の取得を希望する場合、撮像部１００は、ユーザの指示に基づいて、表示部２０４の画像を撮像する（Ｓ１０）。
【００２４】
次に、画像判断部１０２は、撮像部１００が撮像した画像が表示部２０４の画像を含むか否かを判断する。例えば、画像判断部１０２は、所定の形状を予め記憶しており、撮像部１００が撮像した画像内に所定の形状で単色の枠がある場合に、撮像部１００が撮像した画像が表示部２０４の画像を含むと判断する。所定の形状とは、表示部２０４の枠の形状であり、枠の内側は、例えば矩形である。画像判断部１０２は、撮像部１００が撮像した画像内に所定の形状で単色の枠の少なくとも３辺がある場合に、撮像部１００が撮像した画像が表示部２０４の画像を含むと判断してもよい。また、画像判断部１０２は、所定の大きさを予め記憶しており、撮像部１００が撮像した画像内の所定の形状の単色の枠の大きさが所定の大きさ以上である場合に、撮像部１００が撮像した画像が表示部２０４の画像を含むと判断してもよい。
【００２５】
具体的には、画像判断部１０２は、撮像部１００が撮像した画像の周辺部分の領域で最も多い色を選択し、選択した色の領域を抽出する。そして、画像判断部１０２は、抽出した領域が所定の形状であるか否か、及び所定の大きさ以上であるか否かを検出することにより、撮像部１００が撮像した画像が表示部２０４の画像を含むか否かを判断する。なお、画像判断部１０２は、上述のように撮像部１００が画像を撮像したときに、撮像部１００が撮像した画像が表示部２０４の画像を含むか否かを判断してもよいし、他の例として撮像装置１０が格納する画像と撮像装置２０が格納する画像とを同期化する旨の指示をユーザから受けたときに、画像格納部１０６が格納している画像が表示部２０４の画像を含むか否かを判断してもよい。
【００２６】
次に、画像要求送信部１０４は、撮像部１００が撮像した画像が表示部２０４の画像を含むと画像判断部１０２が判断した場合に、撮像部１００が撮像した画像を撮像装置２０に送信する。そして、画像要求受信部２０６は、撮像部１００が撮像した、表示部２０４の画像を含む画像を撮像装置１０から受信する（Ｓ１２）。
【００２７】
次に、画像照合部２０８は、画像要求受信部２０６が受信した画像と、画像格納部２０２が格納している画像とを画像照合する。そして、画像照合部２０８は、画像照合することにより、画像要求受信部２０６が受信した画像内の表示部２０４が表示している画像を選択して画像格納部２０２から抽出する。そして、画像送信部２１０は、画像照合部２０８が抽出した画像を撮像装置１０に送信する。そして、画像受信部１０８は、撮像装置２０が画像照合により抽出した画像、即ち撮像部１００が撮像した画像の表示部２０４に表示されていた画像を撮像装置２０から受信する（Ｓ１４）。
【００２８】
画像受信部１０８は、画像とともに当該画像が撮像装置２０によって撮像された時刻をさらに受信する。そして、画像格納部１０６は、画像受信部１０８が受信した画像と当該画像が撮像装置２０によって撮像された時刻とを対応づけて格納する。このとき、画像格納部１０６は、撮像部１００が撮像した表示部２０４画像に代えて、画像受信部１０８が撮像装置２０から受信した画像を格納してもよい。
【００２９】
また、画像出力部１１０は、画像格納部１０６が格納している画像を、当該画像が撮像された時刻の順に並び替えて出力する。画像出力部１１０は、例えば表示装置であり、撮像装置１０及び２０のいずれによって撮像されたか否かに関わらず、撮像された時刻の順に画像を表示する。このため、他のユーザの撮像装置２０から受け取った画像が、あたかもユーザの撮像装置１０で撮像した画像であるかのように扱うことができる。
【００３０】
また他の例において、画像要求送信部１０４は、撮像部１００が撮像した画像が表示部２０４の画像を含むと画像判断部１０２が判断した場合に、撮像部１００が撮像した画像に対応づけて画像格納部１０６が格納する時刻、即ち撮像部１００が表示部２０４の画像を撮像した時刻を撮像装置２０に送信する。そして、画像要求受信部２０６は、画像要求送信部１０８が送信した時刻を撮像装置１０から受信する（Ｓ１２）。
【００３１】
次に、画像照合部２０８は、画像要求受信部２０６が受信した時刻と、画像格納部２０２が画像に対応づけて格納している、当該画像が表示されていた時刻とを比較する。そして、画像照合部２０８は、画像要求受信部２０６が受信した時刻に基づいて、当該時刻に表示部２０４に表示されていた画像を選択して画像格納部２０２から抽出する。そして、画像送信部２１０は、画像照合部２０８が抽出した画像を撮像装置１０に送信する。そして、画像受信部１０８は、撮像装置２０が抽出した画像、即ち撮像部１００が表示部２０４を撮像した時刻に表示部２０４に表示されていた画像を撮像装置２０から受信する（Ｓ１４）。
【００３２】
以上のように、本実施形態の撮像装置１０及び２０によれば、ユーザが欲しい画像を表示している撮像装置２０の表示部２０４を撮像するだけで、当該欲しい画像を受け取ることができる。また、撮像装置１０の撮像部１００が表示部２０４を撮像した時刻と、撮像装置２０の表示部２０４が画像を表示していた時刻と比較して画像を選択することによって、ユーザが要求している画像を正確に特定することができる。
【００３３】
図３は、撮像装置１０及び画像格納装置３０のブロック構成の一例を示す。画像格納装置３０は、撮像装置２０が撮像した画像を撮像装置２０から受信する画像受信部３００と、画像受信部３００が受信した画像を格納する画像格納部３０２と、画像の転送要求を撮像装置１０から受信する画像要求受信部３０４と、画像格納部３０２が格納している画像から転送要求があった画像を抽出する画像照合部３０６と、画像照合部３０６が抽出した画像を撮像装置１０に送信する画像送信部３０８とを備える。
【００３４】
撮像装置２０は、撮像部２００が撮像した画像、当該画像が撮像された時刻、及び当該画像を表示部２０４が表示していた時刻を画像格納装置３０に送信する。そして、画像受信部３００は、撮像装置２０が送信した画像、当該画像が撮像された時刻、及び当該画像を表示部２０４が表示していた時刻を受信する（Ｓ２０）。そして、画像格納部３０２は、画像受信部３００が受信した画像、当該画像が撮像された時刻、及び表示部２０４が当該画像を表示していた時刻を対応づけて格納する。
【００３５】
また、撮像部１００は、ユーザの指示に基づいて、撮像装置２０の表示部２０４の画像を撮像する（Ｓ２２）。そして、画像要求送信部１０４は、撮像部１００が撮像した画像が表示部２０４の画像を含むと画像判断部１０２が判断した場合に、撮像部１００が撮像した画像を画像格納装置３０に送信する。そして、画像要求受信部３０４は、撮像部１００が撮像した、撮像装置２０の表示部２０４の画像を含む画像を撮像装置１０から受信する（Ｓ２４）。
【００３６】
次に、画像照合部３０６は、画像要求受信部３０４が受信した画像と、画像格納部３０２が格納している画像とを画像照合する。そして、画像照合部３０６は、画像照合することにより、画像要求受信部３０４が受信した画像内の表示部２０４が表示している画像を選択して画像格納部３０２から抽出する。そして、画像送信部３０８は、画像照合部３０６が抽出した画像を撮像装置１０に送信する。そして、画像受信部１０８は、画像格納装置３０が画像照合により抽出した画像、即ち撮像部１００が撮像した画像の表示部２０４に表示されていた画像を画像格納装置３０から受信する（Ｓ２６）。
【００３７】
また他の例において、画像要求送信部１０４は、撮像部１００が撮像した画像が表示部２０４の画像を含むと画像判断部１０２が判断した場合に、撮像部１００が撮像した画像に対応づけて画像格納部１０６が格納する時刻、即ち撮像部１００が表示部２０４の画像を撮像した時刻を画像格納装置３０に送信する。そして、画像要求受信部３０４は、画像要求送信部１０８が送信した時刻を撮像装置１０から受信する（Ｓ２４）。
【００３８】
次に、画像照合部３０６は、画像要求受信部３０４が受信した時刻と、画像格納部３０２が画像に対応づけて格納している、当該画像が表示されていた時刻とを比較する。そして、画像照合部３０６は、画像要求受信部３０４が受信した時刻に基づいて、当該時刻に表示部２０４に表示されていた画像を選択して画像格納部３０２から抽出する。そして、画像送信部３０８は、画像照合部３０６が抽出した画像を撮像装置１０に送信する。そして、画像受信部１０８は、撮像装置２０が抽出した画像、即ち撮像部１００が表示部２０４を撮像した時刻に表示部２０４に表示されていた画像を画像格納装置３０から受信する（Ｓ２６）。
【００３９】
以上のように、通信網２５に接続された画像格納装置３０が、撮像装置２０が撮像した画像を所定の期間格納しておくことによって、撮像装置１０のユーザは、所望の画像を表示している撮像装置２０の表示部２０４を予め撮像しておくことにより、所望の画像をいつでも画像格納装置３０から受け取ることができる。
【００４０】
また他の例において、撮像部１００が撮像した表示部２０４の画像と撮像装置２０が撮像した画像とを撮像装置１０が画像照合して所望の画像を抽出してもよい。即ち、撮像装置１０は、撮像部１００が撮像した画像が表示部２０４の画像を含むと画像判断部１０２が判断した場合に、撮像装置２０が格納している画像をすべて受け取る。そして、撮像装置１０は、撮像部１００が撮像した画像と撮像装置２０から受け取った画像とを画像照合することにより、撮像部１００が撮像した画像内の表示部２０４に表示されている画像を抽出する。
【００４１】
以上、本発明を実施形態を用いて説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【００４２】
【発明の効果】
上記説明から明らかなように、本発明の撮像装置によれば、撮像装置間での画像の交換を容易に行うことができる。
【図面の簡単な説明】
【図１】画像配信システムの一例を示す図である。
【図２】撮像装置１０及び撮像装置２０のブロック構成の一例を示す図である。
【図３】撮像装置１０及び画像格納装置３０のブロック構成の一例を示す図である。
【符号の説明】
１０    撮像装置
２０    撮像装置
２５    通信網
３０    画像格納装置
１００  撮像装置
１０２  画像判断部
１０４  画像要求送信部
１０６  画像格納部
１０８  画像受信部
１１０  画像出力部
２００  撮像部
２０２  画像格納部
２０４  表示部
２０６  画像要求受信部
２０８  画像照合部
２１０  画像送信部
３００  画像受信部
３０２  画像格納部
３０４  画像要求受信部
３０６  画像照合部
３０８  画像送信部
【図１】
2004222139.tif 000003
【図２】
2004222139.tif 000004
【図３】
2004222139.tif 000005